(57)【要約】【課題】太陽電池の表面積を大きくできると共に、吸込口からの太陽光で薬剤が早期に劣化することがない送風式薬剤放線装置とする。【解決手段】装置本体１に送風機２と薬剤保持体３を設け、その装置本体１の上面１ａを閉塞すると共に、その周面１ｂの上面寄りに放出口５を形成し、装置本体１の下部に吸込口６を形成して吸込口６から直接太陽光が薬剤保持体３に照射されないようにして吸込口６からの太陽光で薬剤が早期に劣化しないようにし、前記装置本体１の上面１ａの全面に太陽電池４を設け、その上面１ａを太陽電池設置スペースとして有効利用して太陽電池４の表面積を大きくする。【選択図】図３
2007097403.tif 000002
【特許請求の範囲】
【請求項１】
装置本体１と、この装置本体１に設けた送風機２、薬剤保持体３を備え、
前記装置本体１の周面１ｂの上面寄りに放出口５、下部に吸込口６を形成して送風機２を駆動することで吸込口６、薬剤保持体３、放出口５と空気が流れるように構成し、
前記装置本体１の上面１ａを閉塞すると共に、その上面１ａの全面に太陽電池４を設け、この太陽電池４を電源として送風機２を駆動するようにしたことを特徴とする送風式薬剤放散装置。
【請求項２】
装置本体１の下面１ｃが閉塞されていると共に、その装置本体１の周面１ｂの下面寄りに吸込口６が形成されている請求項１記載の送風式薬剤放散装置。
【請求項３】
薬剤保持体３は吸込口６と対向し、その吸込口６から薬剤保持体３が目視されるようにした請求項２記載の送風式薬剤放散装置。
【請求項４】
装置本体１と、この装置本体１に設けた送風機２、薬剤保持体３を備え、
前記装置本体１の上面１ａに吸込口６を形成すると共に、下部に放出口５を形成し、前記送風機２を駆動することで吸込口６、薬剤保持体３、放出口５と空気が流れるように構成し、
前記装置本体１の上面１ａの全面に太陽電池４を、前記吸込口６を覆うと共に、その太陽電池４の下面と装置本体１の上面１ａとの間に前記吸込口６を大気に連通する隙間４２を形成するように設け、
この太陽電池４を電源として送風機２を駆動するようにしたことを特徴とする送風式薬剤放散装置。
【発明の詳細な説明】
【技術分野】
【０００１】
本発明は、殺虫剤、忌避剤、芳香剤、消臭剤、除菌剤などの揮散性の薬剤を大気に放散する送風式薬剤放散装置に関する。
【背景技術】
【０００２】
特許文献１に送風式薬剤放散装置が開示されている。
この装置は、本体内に、送風機と薬剤保持体を設けると共に、本体の上面に太陽電池を設け、その太陽電池を電源として送風機を駆動することで吸込口から放出口に空気が流通し、その放出口から放出される空気とともに薬剤保持体の薬剤が大気に放散される装置である。
【０００３】
【特許文献１】特開２００５−１８５２３３号公報
【発明の開示】
【発明が解決しようとする課題】
【０００４】
前述した従来の送風式薬剤放散装置は、太陽電池から供給された電力を使用するので、ランニングコストが安く、経済的であるが、次にような課題を有する。
前述の太陽電池は太陽光が照射され易いように本体の上面に設けてあるが、その本体の上面には吸込口が形成されているので、太陽電池を設ける面積が本体の上面の全面積に比べて吸込口を形成した部分の面積だけ小さくなり、太陽電池の表面積が小さく、その太陽電池が供給できる最大電力が小さい。
【０００５】
また、前述の装置を使用する際には、その太陽電池に太陽光が十分に照射されるようにして使用するが、この太陽電池は本体の上面に設けてあると共に、その本体の上面に吸込口が形成されているので、太陽電池に太陽光が十分に照射されれば、吸込口にも太陽光が十分に照射される。
前述のように、吸込口に照射された太陽光は薬剤保持体に照射され、その薬剤保持体が保持している薬剤が早期に劣化する。
【０００６】
本発明の目的は、太陽電池の表面積を大きくできると共に、吸込口からの太陽光で薬剤が早期に劣化することがないようにした送風式薬剤放散装置を提供することである。
【課題を解決するための手段】
【０００７】
第１の発明は、装置本体１と、この装置本体１に設けた送風機２、薬剤保持体３を備え、
前記装置本体１の周面１ｂの上面寄りに放出口５、下部に吸込口６を形成して送風機２を駆動することで吸込口６、薬剤保持体３、放出口５と空気が流れるように構成し、
前記装置本体１の上面１ａを閉塞すると共に、その上面１ａの全面に太陽電池４を設け、この太陽電池４を電源として送風機２を駆動するようにしたことを特徴とする送風式薬剤放散装置である。
【０００８】
第２の発明は、第１の発明において、装置本体１の下面１ｃが閉塞されていると共に、その装置本体１の周面１ｂの下面寄りに吸込口６が形成されている送風式薬剤放散装置である。
【０００９】
第３の発明は、第２の発明において、薬剤保持体３は吸込口６と対向し、その吸込口６から薬剤保持体３が目視されるようにした送風式薬剤放散装置である。
【００１０】
第４の発明は、装置本体１と、この装置本体１に設けた送風機２、薬剤保持体３を備え、
前記装置本体１の上面１ａに吸込口６を形成すると共に、下部に放出口５を形成し、前記送風機２を駆動することで吸込口６、薬剤保持体３、放出口５と空気が流れるように構成し、
前記装置本体１の上面１ａの全面に太陽電池４を、前記吸込口６を覆うと共に、その太陽電池４の下面と装置本体１の上面１ａとの間に前記吸込口６を大気に連通する隙間４２を形成するように設け、
この太陽電池４を電源として送風機２を駆動するようにしたことを特徴とする送風式薬剤放散装置である。
【発明の効果】
【００１１】
請求項１に係る発明によれば、装置本体１の上面１ａを閉塞し、その上面１ａの全面に太陽電池４を設けたので、装置本体１の上面１ａを太陽電池設置スペースとして有効利用でき、その太陽電池４の表面積を大きくできる。
また、装置本体１の周面１ｂの上面寄りに放出口５が形成され、下部に吸込口６が形成されているので、その吸込口６から薬剤保持体３に太陽光が直接照射されることがなく、吸込口６からの太陽光で薬剤が早期に劣化することがない。
【００１２】
請求項２に係る発明によれば、装置本体１の下面１ｃを取付面に接して取付けた際に、吸込口６が閉塞されることがなく、必要十分な量の空気を吸い込みできるから、薬剤を効率よく大気に放散できる。
【００１３】
請求項３に係る発明によれば、使用している状態で吸込口６から薬剤保持体３を目視できるから、薬剤の薬効が減少したことを薬剤保持体３の色の変化、消失、大きさ変化などの現象で判断するようにした場合に、その薬剤保持体３を目視して薬剤の薬効が減少したことを判断できる。
【００１４】
請求項４に係る発明によれば、装置本体１の上面１ａに太陽電池４を、その吸込口６を覆うように設けたので、その吸込口６を有する上面１ａの全面を太陽電池設置スペースとして有効利用でき、太陽電池４の表面積を大きくできる。
また、装置本体１の上面１ａと太陽電池４の下面との間には、吸込口６を大気に連通する隙間４２があるので、その隙間４２を通って吸込口６に空気を吸い込むことができる。
また、吸込口６は太陽電池４で覆われているので、装置本体１の上面１ａに吸込口６があっても、その吸込口６から薬剤保持体３に太陽光が直接照射されることがなく、吸込口６からの太陽光で薬剤が早期に劣化することがない。
【発明を実施するための最良の形態】
【００１５】
図１と図２と図３に示すように、装置本体１と、この装置本体１に設けた送風機２、薬剤保持体３、太陽電池４で送風式薬剤放散装置を構成している。
前記装置本体１の上面１ａが閉塞され、その上面１ａの全面に太陽電池４が設けてある。なお、上面１ａの全面に設けるとは、上面１ａの全ての面に設けること、上面１ａの全ての面における若干の部分を残した面に設けること、上面１ａの全ての面よりも若干張り出して設けることを含むものである、
前記装置本体１の周面１ｂの上部寄りに放出口５が形成されていると共に、その装置本体１の下部に吸込口６が形成され、前記送風機２を駆動することで吸込口６から空気を吸い込み、その空気は薬剤保持体３を通過して放出口５から大気に放出されるように構成してある。
前記送風機２は太陽電池４が供給する電力を電源として駆動される。
【００１６】
このようであるから、太陽電池４の表面積が装置本体１の上面１ａの全面積と同一で、その太陽電池４の表面積が大きく、その太陽電池４が供給できる最大電力が大きい。
また、装置本体１の上面１ａが閉塞され、吸込口６が装置本体１の下部に形成してあるから、その吸込口６から太陽光が薬剤保持体３に照射されることがなく、吸込口６からの太陽光で薬剤保持体３が保持している薬剤が早期に劣化することがない。
特に、装置本体１内の上面１ａ寄りに送風機２を設け、下面１ｃ寄りに薬剤保持体３が設けてあると共に、放出口５が送風機２と対向しているので、その放出口５から太陽光が薬剤保持体３に照射されることがなく、放出口５からの太陽光で薬剤が早期に劣化することがない。
【００１７】
この実施の形態では、吸込口６は装置本体１の周面１ｂの下部寄りに形成され、装置本体１の下面１ｃが閉塞されているから、その下面１ｃを取付面ａに接して装置本体１を取付けた時に、その吸込口６が閉塞されることがなく、必要十分な量の空気を吸い込みできるから、薬剤を大気に効率良く放散できる。
【００１８】
この実施の形態では、薬剤保持体３の一部は吸込口６に対向し、使用している状態で吸込口６から薬剤保持体３を目視できる。
よって、薬剤の薬効が減少したことを薬剤保持体３の色の変化、消失、大きさ変化などの現象で判断するようにした場合に、その薬剤保持体３を目視して薬剤の薬効が減少したことを判断できる。
例えば、薬剤保持体３に色変色素などのインジケータ機能剤を付与することで薬剤保持体３のエンドポイント（使用限界）を、使用している状態で目視で確認することができる。
さらに具体的には、前述の色変するタイプのインジケータ機能剤としては、電子供与性呈色化合物、顕色剤、減感剤からなる可変色色素を担持体（含浸体）に含浸したものは、減感剤、又は顕色剤に用いた薬剤が揮散し、残存量が低下することで電子供与性呈色化合物と顕色剤との反応が開始し呈色を生起し、担持体の色調が変化する。
色調としては、赤、黒、青、緑、紫、橙、黄、茶など多くの色が可能であり、前記３成分の選定、組合せ等によって希望する色調、色濃度、色変時期を得ることができる。
また、油溶性の色素や染料の採用により、例えば色素等を薬剤に溶解させ、色素等と親和性のない担持体に保持することにより揮散に伴い色彩の減色で確認できる。
また、水筆法の原理をインジケータとして使用することもできる。
水筆法とは、例えば着色した紙材などの担持体に薬剤を含浸すると共に表面に酸化チタンの微粒子を付着させ、薬剤の消失に伴い着色した元の色から酸化チタンの白色に変化させる方法で、着色した紙材として、赤、橙、黄、緑、青、紫、藍、白、黒、グレーなど彩色が挙げられ、色変化、文字や模様などの表示で確認できる。
一方、消失などするタイプのインジケータとしては、例えばそれ自体が昇華し経時的に消える昇華性物質を担持体、又は混合した担持体に使用する。また、水、アルコールなど液体をゲル化し、経時的に含有液体が揮散し縮小するゲル化物を担持体に使用する。
前記タイプの場合、これら担持体から成る薬剤保持体は、収納体からこぼれないように保持される形状にする必要がある。
【００１９】
次に、各部材の具体形状を説明するが、必ずしもこの形状に限ることはないことは勿論である。
前記装置本体１は本体１０と収納体２０を着脱自在に連結したものである。
前記本体１０は上面板１１と周面板１２で下面が開放した箱形状で、上面板１１に太陽電池４が設けてある。
前記周面板１２の上部寄りに放出口５が形成されている。
前記周面板１２の開口縁には内向きフランジ１３が一体的に設けてあると共に、その周面板１２の内周面の下部寄りにリング状のプレート１４が一体的に設けてあり、このプレート１４と前記内向きフランジ１３とで内向きの環状凹部１５を形成している。
前記送風機２は上面板１１の内面に取付けたモータ２ａと、このモータ２ａで駆動されるファン２ｂを備え、そのモータ２ａは前記太陽電池４を電源として駆動される。
【００２０】
前記収納体２０は底面板２１と、この底面板２１に設けた複数の連結部材２２を備え、その連結部材２２を本体１０の環状凹部１５に弾性的に係合して本体１０と収納体２０を連結すると、本体１０の下面１０ａよりも収納体２０の底面板２１が下方に突出し、その底面板２１と本体１０の下面１０ａとで前述の吸込口６を形成している。
前記連結部材２２は、図３に示すように前記底面板２１に周方向に間隔を置いて複数設けてあり、その各連結部材２２の上下中間に突部２２ａが形成され、底面板２１をテーブル、床などに載置した場合に、薬剤保持体３の下面が突部２２ａに接して底面板２１との間に隙間を形成する。
【００２１】
前記薬剤保持体３は、容器３ａ内にプレート状の薬剤担持体３ｂを設け、押えプレート３ｃで保持したもので、その容器３ａが収納体２０の突部２２ａ上に載置して着脱自在に設けられ、その容器３ａの下面（薬剤保持体３の下面）と底面板２１との間に隙間が形成される。
そして、吸込口６から流入した空気は、前述の隙間を通って容器３ａの開口から薬剤担持体３ｂに流入し、押えプレート３ｃの開口から本体１０内に流れる。
【００２２】
次に他の実施の形態を説明する。
図４に示すように、前記装置本体１を本体１０と、この本体１０の下部開口に挿入して固定、例えば螺合して固定されるリング状の薬剤支持体２３で形成し、その本体１０の下部寄りに薬剤保持体３を挿入して薬剤支持体２３で抜け落ちないように支持するようにする。
前記本体１０の周面板１２における薬剤保持体３よりも下方に吸込口６を形成する。
【００２３】
前述の実施の形態は、装置本体１の下面１ｃ（収納体２０の底面板２１）を床、テーブルなどの取付面ａに載置して使用する載置型の送風式薬剤放散装置について延べたが、人体の腕や動物の首、胴などに着用ベルトで着用して使用する着用型の送風式薬剤放散装置、人体の腰、建物の壁などに吊り下げて使用する吊下型の送風式薬剤放散装置に用いることができる。
【００２４】
例えば、図５に示すように本体１０と収納体２０で装置本体１とし、その本体１０に一対のバンド取付具２５を固着する。
この各バンド取付具２５に一側バンド２６と他側バンド２７を連結して着用バンド２８とする。
そして、一側バンド２６と他側バンド２７を連結して着用バンド２８を人体の腕等に接して巻きつけることで、装置本体１の下面１ｃ（底面板２１）を人体の腕などの取付面に接して着用して使用する。
【００２５】
なお、前述の図４に示すように、本体１０と薬剤支持体２３で装置本体１とし、その本体１０の下面開口部を吸込口６とし、図６に示すように本体１０の下面１０ａ（装置本体１の下面１ａ）を取付面ａに接して取付ける形状の場合には、その本体１０の下面１０ａに着用バンド２８を接するようにして取付け、この着用バンド２８が取付面ａに接し、その取付面ａと本体１０の下面１０ａとの間に隙間が生じるようにし、その取付面ａと本体１０の下面１０ａとの間の隙間ｂを利用して空気を吸い込みできるようにすれば良い。
【００２６】
図７に示すように、本体１０の上部に吊下部材３０を取付け、その吊下部材３０を人体のバンドに係止して人体の腰に吊り下げて取付けるようにする。なお、吊下部材３０を取付面の突起に係止したり、ビス止めしたりして取付けることもできる。
【００２７】
この場合には、本体１０の吊下部材取付面１０ｂを本体１０の下面１０ａ（この場合には裏面）よりも取付面ａ寄りとし、その取付面ａと本体１０の下面１０ａとが離隔して隙間が生じるようにする。
このようにすることで、前述の隙間を通って吸込口６に空気を吸い込みできるから、本体１０の下面１０ａを開口して吸込口６とすることができる。
【００２８】
また、本体１０の周面板１２よりも上方に突出して上部体３１を設け、その上部体３１を裏側の縦板３２と表側の縦板３３を有する形状としてある。
そして、裏側の縦板３２に吊下部材３０を取付けしたので、表側の縦板３３に太陽電池４を取付けることができ、太陽電池４の表面積をより大きくできる。
【００２９】
なお、本体１０の下面１０ａと吊下部材取付面１０ｂを面一としても良い。
この場合には、本体１０の周面（装置本体１の周面１ｂ）における下面寄りに吸込口６を形成して空気を吸い込みできるようにすれば良い。
【００３０】
以上の各実施の形態では、装置本体１の上面１ａを閉塞し、その上面１ａに太陽電池４を設けたが、これに限ることはなく、装置本体１の上面１ａに吸込口６を形成し、その上面１ａの全面に太陽電池４を、吸込口６を覆うと共に、その太陽電池４の下面と装置本体１の上面１ａとの間に隙間があるように設け、その隙間を通して吸込口６を大気に連通しても良い。
このようにすれば、太陽電池４によって太陽光を遮断して吸込口６に照射されないようになるので、薬剤が太陽光で早期に劣化することがない。
【００３１】
例えば、図８と図９に示すように装置本体１の上面１ａに吸込口６を形成し、この上面１ａにおける吸込口６以外の部分に複数の突起４０を設け、その突起４０にプレート４１を設ける。
このプレート４１は吸込口６よりも大きく、吸込口６を含む上面１ａの全面を覆うと共に、その下面と装置本体１の上面１ａとは離隔して突起４０以外の部分に隙間４２が形成され、この隙間４２を通して吸込口６が大気に連通する。
前記プレート４１の全面に太陽電池４を設ける。
この場合には、送風機２を装置本体１の下面１ｃ寄りに取付け、放出口５は周面１ｂの下部寄りに送風機２と対向して形成する。
前記薬剤保持体３は装置本体１の上面１ａ寄りに設ける。
【００３２】
このようにすることで、送風機２を駆動することで、隙間４２から吸込口６に空気が吸い込みされ、その吸い込まれた空気は薬剤保持体３を通過して放出口５から大気に放出される。
また、太陽電池４（プレート４１）によって太陽光が吸込口６に直接照射されることを防止するので、薬剤保持体３の保持している薬剤が太陽光で早期に劣化することがない。
【００３３】
前述の装置本体１は、本体１０とカバー体５０を着脱自在に連結したものとしてあり、その本体１０に送風機２が取付けてある。前記カバー体５０の上面に吸込口６が形成されていると共に、薬剤保持体３が着脱自在に設けてある。
なお、プレート４１を用いずに太陽電池４を突起４０に接するように設けても良い。
【００３４】
前述の各実施の形態では、太陽電池４で送風機２のモータ２ａを駆動すると述べたが、実用的には充填式電池を用い、太陽電池４が発生した電力に余剰が生じた時や、モータ２ａを駆動しない時に、その電力を充填式電池に蓄積するようにする。
すなわち、装置本体１に充電式電池を備えることで、好天時、使用しながら太陽電池４からモータ２ａに電力を供給しながら余剰の電力を充填式電池に電力を蓄積できる。または、使用を中断して太陽電池４から電力を充填式電池に蓄積できる。したがって、昼間の曇天時や夜間、太陽電池の発生する電力に不足が生じる時に、充電式電池に蓄積された電気エネルギーによりモータ２ａに電力を供給して使用することができる。
【００３５】
また、前述のように充電式電池を用いることで、モータ２ａを駆動せずに薬剤放散しない時に、太陽電池４に太陽光が照射するようにして電力を発生させ、その発生した電力を充電式電池に蓄えることができる。
このようにする場合に、前述の従来の装置では薬剤保持体に太陽光が照射し、薬剤が早期に劣化してしまうので、太陽電池と充電式電池を装置本体から外し、そのもののみに太陽光が照射するようにしなければならず、面倒である。
これに対して、本発明の薬剤放散装置であれば薬剤保持体３に太陽光が照射されることがなく、薬剤が早期に劣化することがないので、装置本体１から太陽電池４、充電式電池を外す必要がなく、太陽電池が発生した電力を充電式電池に蓄える操作が簡単である。
【００３６】
前述の充電式電池を用いた回路図の一例を図１０に基づいて説明する。
図１０に示すように、太陽電池４と逆流防止用ダイオード６０との直列回路が、ニカド電池等の充電式電池６１に並列接続され、この並列回路がＯＮ，ＯＦＦスイッチ６２を介してモータ駆動回路６３に接続されている。この逆流防止用ダイオード６０は、充電式電池６１からの出力が太陽電池４側に逆流しないようにするものである。
そして、スイッチ６２のＯＮ時、太陽等からの光の照射が強く、太陽電池４よりモータ２ａを駆動（ファン回転）させるのに必要な電力以上の発電電力が出力された場合は、太陽電池４の出力のよってモータ２ａを駆動する一方で、その余剰電力を充電式電池６１に供給し、充電式電池６１に蓄積する。また、日射が弱くなったり、夜間においては、太陽電池４よりモータ２ａを駆動させるのに必要な電力が出力されなくなるが、このような場合には、太陽電池４の発電出力と共に充電式電池６１からの出力がモータ駆動回路６３に供給され、モータ２ａが駆動される。
一方、スイッチ６２のＯＦＦ時には、モータ２ａは停止状態であり、この時、太陽電池４の発電出力は充電式電池６１の電力蓄積に供される。
【００３７】
また、使用する該充電式電池の種類や本数としては、充電量規模や携帯性（装置本体の大きさを小さく、軽い重量にするように）を考慮して決めることが望ましい。
また、充電式電池の過充電、過放電を防止したり、いわゆるメモリー現象を回避するための充放電制御回路を組み込むことが好ましい。
前述充電式電池６１としては、公知のニカド電池（Ｎｉ−Ｃｄ電池）、ニッケル水素電池（Ｎｉ−ＭＨ電池）、リチウムイオン電池（Ｌｉ−ｉｏｎ電池）等が挙げられる。
また、本発明の実施の形態では、充電式電池６１が図示していないが、装置本体１に充電式電池５１を取付ければ良い。例えば、図７の上部体３１の中空部分に充電式電池５１を取付ける。
【００３８】
前述のように、充電式電池を用いることで、多くのいろいろな場面で使用できる送風式薬剤放散装置となる。
例えば、装置の使用場面として、特に害虫防除場面を例示すると、携帯して使用する屋外、家屋周りの遊び場所や仕事場所、草むしり場所、花壇・菜園場所、キャンプ場所、散歩場所、登山場所、墓所参り・掃除場所、など、また取付けて使用する家屋の出入口や壁面や開閉窓の壁面、ペット小屋の壁面、など、また太陽光が入射する室内場所、などが挙げられる。
また、前記使用場面において、前述の各実施形態で説明した装置を、家屋周りなどの地上に置いて、家屋の出入口などの壁面に取付けて、室内などの床面に置いて、或いは屋外で遊んだり、作業などをする時に身体の腕などに着用したり、身体の着用ベルトに引っ掛けて、などして使用することができる。
【００３９】
本発明に用いる太陽電池としては、公知の結晶系シリコン太陽電池、アモルファス・シリコン太陽電池、化合物半導体太陽電池が挙げられる。
この太陽電池４の形状は平板状に限ることはなく、折り畳み自在な形状、山形に組み立てできるものなどでも良い。
この太陽電池４は装置本体１の周面１ｂにも取付けるようにしても良い。
【００４０】
また、装置本体１の形状は制限されず、円形、四角形、正多角形、変形多角形、またこれらの組み合わせなどが可能であり、太陽電池４の形状や使用枚数などに応じて、上面をより広くすることができる。
【００４１】
薬剤の放散手段として、前述の各実施形態で説明した装置本体１では、送風機２による送風手段のみを使用しているが、薬剤の放散性をより高めるために、この送風手段に加熱手段（発熱体）を組み合わせることもできる。
また、装置機能として、駆動中であることを点滅表示するＬＥＤランプ、使用環境の明暗を感知して駆動する光センサー、あるいはファンの回転数の低速に係る電圧降下手段、ファンを間欠的に回転に係る間欠発振手段、などを備えることも無論である。
【００４２】
送風機２のファン２ｂとしては、公知の複数枚の傾斜羽根を駆動軸に放射状に設けたプロペラファンで送風を行う軸流式送風機、駆動軸に平行な方向に多数の羽根を円筒状に設け、駆動軸と直交する方向へ送風を行う多翼式送風機（シロッコファン）などが挙げられる。
【００４３】
装置本体１にあっては、前述した各実施形態で説明した装置本体１では、装置本体１の本体１０の吸込口６に薬剤保持体３を配置する形態であったが、送風機２のファン２ｂの内周側に、または外周側に薬剤保持体３を配置して、薬剤保持体３とファン２ｂを一体化させたり、薬剤自体を保持したファンとして、送風機（モータ）にファンを着脱自在とする、あるいはファンの前面に通気性シート状の薬剤保持体などを配置するようにして、ファンに薬剤保持体を着脱自在とする形態であってもよい。
【図面の簡単な説明】
【００４４】
【図１】本発明の第１の実施の形態を示す外観斜視図である。
【図２】本発明の第１の実施の形態を示す側面図である。
【図３】本発明の第１の実施の形態を示す断面図である。
【図４】本発明の第２の実施の形態を示す断面図である。
【図５】本発明の第３の実施の形態を示す側面図である。
【図６】本発明の第４の実施の形態を示す側面図である。
【図７】本発明の第５の実施の形態を示す断面図である。
【図８】本発明の第６の実施の形態を示す断面図である。
【図９】本発明の第６の実施の形態を示す平面図である。
【図１０】モータの駆動回路図である。
【符号の説明】
【００４５】
１…装置本体、１ａ…上面、１ｂ…周面、１ｃ…下面、２…送風機、３…薬剤保持体、４…太陽電池、５…放出口、６…吸込口、１０…本体、２０…収納体、２８…着用バンド、３０…吊下部材、４０…突起、４１…プレート、４２…隙間、５０…カバー体。
【図１】
2007097403.tif 000003
【図２】
2007097403.tif 000004
【図３】
2007097403.tif 000005
【図４】
2007097403.tif 000006
【図５】
2007097403.tif 000007
【図６】
2007097403.tif 000008
【図７】
2007097403.tif 000009
【図８】
2007097403.tif 000010
【図９】
2007097403.tif 000011
【図１０】
2007097403.tif 000012